(57)【特許請求の範囲】
【請求項１】
段差のあるコンクリート床を、通気通水層を介して合成樹脂製被覆材で被覆した床被覆構造であって、 
コンクリート床の段差側端部は、通気通水層を介して、立上り部とその上端から連なる水平部とを備えた断面逆Ｌ字形の長尺部材の水平部で被覆されており、
コンクリート床の段差面は、排出通路を介して段差面に沿わせた長尺部材の立上り部で被覆されており、
合成樹脂製被覆材の段差側端縁と長尺部材の水平部の端縁とが水密的に接合されており、
前記通気通水層と前記排水通路が、通水可能に面しており、
前記長尺部材の水平部の側端縁に凹溝が設けられ、この凹溝と合成樹脂製被覆材との間に合成樹脂が充填されていることを特徴とする床被覆構造。
【請求項２】
前記長尺部材の水平部の側端に薄片が設けられ、この薄片が合成樹脂製被覆材と通気通水層との間に挟着されていることを特徴とする、請求項１に記載の床被覆構造。
【請求項３】
前記長尺部材の立上り部とコンクリート床の段差面とが両面粘着テープで接合されていることを特徴とする、請求項１又は請求項２に記載の床被覆構造。
【発明の詳細な説明】
【技術分野】
【０００１】
本発明は、集合住宅、ビル、戸建住宅等における、排水溝付きの廊下、下り階段に臨む踊り場や廊下、グランドレベルより一段高い土間などの、端部に段差があるコンクリート床を合成樹脂製被覆材で被覆した床被覆構造に関し、更に詳しくは、合成樹脂製被覆材に膨れが生じないように改良した床被覆構造に関する。
【背景技術】
【０００２】
集合住宅のコンクリート床（特に地上階のコンクリート床）や戸建住宅の土間のコンクリート床には、雨水や地下水などが浸透しやすく、浸透した水は床面から水蒸気として放出されるため、非通気性の合成樹脂製被覆材でコンクリート床を被覆すると、合成樹脂製被覆材と床面との間に水蒸気が溜まって、合成樹脂製被覆材に膨れが生じるという問題がある。
【０００３】
このような合成樹脂製被覆材の膨れを防止する技術として、例えば、シート防水工法において、コンクリート下地に接着剤を介さずに合成樹脂製の防水シートを張設し、コンクリート下地の立上り部に沿って立ち上げた防水シートの立上り部に脱気口を開口して、この脱気口を微細な通気孔が多数設けられた脱気用シート片で覆うと共に、複数の通気穴部を有する押え板で脱気用シート片を固定し、その上から脱気シートで被覆することによって、コンクリート下地から放出される水蒸気その他の揮発成分を脱気して防水シートに膨れが生じるのを防止する工法が知られている（特許文献１）。
【先行技術文献】
【特許文献】
【０００４】
【特許文献１】特開平６−２１２７５０号公報
【発明の概要】
【発明が解決しようとする課題】
【０００５】
上記特許文献１の工法は、コンクリート下地から揮発する水蒸気その他の揮発成分が、防水シートの立上り部の脱気口から外部へ放出されるので、揮発成分がコンクリート下地と防水シートの間に溜まって防水シートに膨れが生じるのを防止することができる。
【０００６】
しかしながら、特許文献１の工法のように、防水シートの立上り部に脱気口が形成されていると、例えばコンクリート下地の表面から滲出する水や、温度低下により水蒸気から液化した水が、脱気口から排出されないでコンクリート下地と防水シートの間に溜まるため、それによって防水シートに膨れが生じるという問題があった。
【０００７】
また、特許文献１の工法のように、防水シートの立上り部に脱気口が形成されていると、脱気口から雨水などが侵入する虞れがあるため、脱気口を微細な通気孔が多数設けられた脱気用シート片で覆うと共に、複数の通気穴部を有する押え板で脱気用シート片を固定し、その上から脱気シートで被覆して、水の侵入を防止することが必要になり、しかも、十分な水蒸気の排出量を確保するために、複数の脱気口を設けて上記の複雑な作業工程を繰り返し行わなければならないという問題があった。また、複数の脱気口が目立って建物の美観を損ねるという問題もあった。
【０００８】
本発明は上記の問題に対処すべくなされたものであって、その解決しようとする課題は、端部に段差があるコンクリート床から放出された水蒸気や水が、コンクリート床を被覆する合成樹脂製被覆材との間に溜まらないように外部に排出されるため、合成樹脂製被覆材に膨れが生じるのを防止することができ、また、一つの作業工程で水蒸気や水の十分な排出量を確保できる排出口が簡単に形成されるため施工性に優れており、しかも、排出口が全く目立たないので建物の美観を損ねる心配もない、床被覆構造を提供することにある。
【課題を解決するための手段】
【０００９】
上記課題を解決するため、本発明に係る床被覆構造は、段差のあるコンクリート床を通気通水層を介して合成樹脂製被覆材で被覆した床被覆構造であって、コンクリート床の段差側端部は、通気通水層を介して、立上り部とその上端から連なる水平部とを備えた断面逆Ｌ字形の長尺部材の水平部で被覆されており、コンクリート床の段差面は、排出通路を介して段差面に沿わせた長尺部材の立上り部で被覆されており、合成樹脂製被覆材の段差側端縁と長尺部材の水平部の端縁とが水密的に接合されており、前記通気通水層と前記排水通路が、通水可能に面していることを特徴とするものである。
【００１０】
本発明の床被覆構造においては、前記長尺部材の水平部の側端に薄片が設けられ、この薄片が合成樹脂製被覆材と通気通水層との間に挟着されていることが望ましい。
そして、前記長尺部材の水平部の側端縁に凹溝が設けられ、この凹溝と合成樹脂製被覆材との間に合成樹脂が充填されていることが望ましい。
また、前記長尺部材の立上り部とコンクリート床の段差面とが両面粘着テープで接合されていることが望ましい。
【発明の効果】
【００１１】
本発明の床被覆構造では、コンクリート床の段差面に沿わせた長尺部材の立上り部とコンクリート床の段差面との隙間が排出通路となり、この排出通路の下端（長尺部材の立上り部の下端とコンクリート床の段差面との隙間）が下向きに開口する排出口となる。従って、コンクリート床から放出された水蒸気や水は通気通水層に浸透して層内を移動し、排出通路を通って下向きの排出口から排出されるので、コンクリート床と合成樹脂製被覆材との間に水蒸気や水が溜まらなくなり、水蒸気や水の圧力による合成樹脂製被覆材の膨れを防止することができる。また、雨水が降り掛かる、所謂、雨掛かりのコンクリート床の場合でも、雨水が下向きの排出口から排出通路を逆流してコンクリート床と合成樹脂製被覆材との間に侵入し、膨れの原因となることはない。
【００１２】
また、本発明の床被覆構造では、合成樹脂製被覆材の段差側端縁と長尺部材の水平部の端縁とが水密的に接合されているので、この接合部から雨水や用水が合成樹脂製被覆材の裏側に侵入して膨れの原因となることもない。
さらに、長尺部材の立上り部の下端とコンクリート床の段差面との間に形成される下向きの排出口は、立上り部の下端の全長に亘るスリット状の開口面積が大きい排出口であって、水蒸気や水の十分な排出量を確保できるものであるため、排出量の不足による合成樹脂製被覆材の膨れを確実に防止することができる。
そして、この排出口とその上側の排出通路は、コンクリート床の段差面に断面逆Ｌ字形の長尺部材の立上り部を沿わせた状態で、コンクリート床の段差側端部を通気通水層を介して長尺部材の水平部で被覆するという一つの工程（長尺部材によるコンクリート床の段差側端部の被覆工程）で簡単に形成できるため、作業効率が高くて施工性に優れており、しかも、この排出口は外部から目視し難く全く目立たないので、建物の美観を損ねることもない。
【００１３】
本発明の床被覆構造において、長尺部材の水平部の側端に薄片が設けられ、この薄片が合成樹脂製被覆材と通気通水層との間に挟着されているものは、長尺部材の固定性が向上し、合成樹脂製被覆材の段差側端縁と長尺部材の水平部の端縁との水密的も向上するという利点がある。
また、長尺部材の水平部の側端縁に凹溝が設けられ、この凹溝と合成樹脂製被覆材との間に、合成樹脂製溶接棒を用いた溶接や合成樹脂の接着剤やシーリング材を用いた接着接合、溶剤（溶剤のみ、または合成樹脂を溶解した溶剤）を用いた溶着によって合成樹脂が充填されているものは、合成樹脂製被覆材の段差側端縁と長尺部材の水平部の端縁との接合作業性が向上することに加えて、接合部の水密性や長尺部材の固定性が向上するという利点がある。
更に、断面逆Ｌ字形の長尺部材の立上り部とコンクリート床の段差面とが両面粘着テープで接合されたものは、長尺部材の立上り部が捲れあがるなどの不具合を防止でき、しかも、この両面粘着テープがスペーサの役目をして、長尺部材の立上り部と段差面との隙間を確保することができる。
【図面の簡単な説明】
【００１４】
【図１】本発明の一実施形態に係る床被覆構造の部分斜視図である。
【図２】同床被覆構造の部分断面図である。
【図３】同床被覆構造の変形態様を示す部分断面図である。
【図４】同床被覆構造の他の変形態様を示す部分断面図である。
【図５】本発明の床被覆構造に用いる断面逆Ｌ字形の長尺部材の斜視図である。
【図６】断面逆Ｌ字形の長尺部材の他の例を示す断面図である。
【図７】断面逆Ｌ字形の長尺部材の更に他の例を示す断面図である。
【図８】断面逆Ｌ字形の長尺部材の更に他の例を示す断面図である。
【図９】本発明の他の実施形態に係る床被覆構造の部分断面図である。
【図１０】同実施形態に用いる断面逆Ｌ字形の長尺部材を裏返して示す部分斜視図である。
【図１１】本発明の更に他の実施形態に係る床被覆構造の部分断面図である。
【図１２】本発明の更に他の実施形態に係る床被覆構造の平面図である。
【図１３】図１２のＡ−Ａ線断面図である。
【発明を実施するための形態】
【００１５】
以下、図面に基づいて本発明の床被覆構造の実施形態を説明する。
【００１６】
図１は本発明の一実施形態に係る床被覆構造の部分斜視図、図２は同床被覆構造の部分断面図、図３は同床被覆構造の変形態様を示す部分断面図、図４は同床被覆構造の他の変形態様を示す部分断面図、図５は本発明の床被覆構造に用いる断面逆Ｌ字形の長尺部材の斜視図である。
【００１７】
図１，図２に示す実施形態の床被覆構造は、集合住宅やビルなどにおける共用部の廊下（側端に排水溝が形成された廊下）のコンクリート床の被覆構造を例示したものであって、この廊下のコンクリート床１は側端に段差を有し、その段差面１ａを介して一段低い排水溝２に連なっている。段差面１ａの高さは所々様々であるが、この実施形態のように排水溝２に連なる廊下のコンクリート床１の場合は、段差面１ａの高さは一般に１〜１０ｃｍ程度である。
【００１８】
コンクリート床１の上面１ｂには通気通水層３が敷設され、接着剤（不図示）で上面１ｂに接着されている。接着剤は、櫛目ゴテを用いて多数の接着剤の凸条が相互間隔をあけて形成されるようにコンクリート床１の上面１ｂに塗布することにより、コンクリート床１の上面１ｂから放出される水蒸気や水が、接着剤の凸条の相互間から通気通水層３に浸透し易くなるようにすることが望ましい。
【００１９】
この実施形態では、第２図に示すように、通気通水層３をコンクリート床１の段差側の側端から内側に５〜２５ｍｍ程度控えて敷設、接着しているが、図３に示すように、通気通水層３をコンクリート床１の段差側の側端まで敷設、接着してもよいし、図４に示すように、通気通水層３の端部を更に下方に屈曲してコンクリート床１の段差面１ａの上縁まで敷設、接着してもよい。
【００２０】
通気通水層３の上面には、図２に示すように、合成樹脂製被覆材４がコンクリート床１の段差側端部を除いて敷設され、接着剤（不図示）で通気通水層３に接着されている。通気通水層３と合成樹脂製被覆材４のそれぞれの他側端（段差側と反対側の側端）は、図２に示すように、コンクリート床１の他側端から内側に５〜２５ｍｍ程度控えられ、シーリング材５によって封止されている。なお、図示はしていないが、通気通水層３と合成樹脂製被覆材４の前後両端も、同様にシーリング材５で封止されている。
【００２１】
コンクリート床１の段差側端部は、図１，図２に示すように、通気通水層３を介して、断面逆Ｌ字形の長尺部材６、即ち、図５に示す如き立上り部６ａとその上端から連なる水平部６ｂとを備えた断面逆Ｌ字形の長尺部材６の該水平部６ｂによって被覆され、この水平部６ｂは接着剤（不図示）で通気通水層３に接着されて固定されている。そして、コンクリート床１の段差面１ａは、該段差面１ａに近接して沿わせた長尺部材６の立上り部６ａによって被覆され、この立上り部６ａとコンクリート床１の段差面１ａとの隙間が排出通路７ａとなり、該排出通路７ａの下端（立上り部６ａの下端とコンクリート床１の段差面１ａとの隙間）が下向きに開口する排出口７ｂとなっている。従って、この排出口７ｂは、長尺部材６の立上り部６ａの全長に亘るスリット状の開口面積が大きい排出口であり、水蒸気や水の十分な排出量を確保できるものとなっている。
コンクリート床１の段差面１ａと、該段差面１ａに近接して沿わせた長尺部材６の立上り部６ａとの間隔は、１〜１０ｍｍ程度であることが望ましいが、水蒸気や水がこれらの圧力で排出通路７ａを下方に移動して排出口７ｂから排出可能である限り、立上り部６ａが段差面１ａに実質的に当接していてもよい。
【００２２】
合成樹脂製被覆材４の段差側端縁と長尺部材６の水平部６ｂの端縁は、溶接された合成樹脂８によって水密的に接合されており、その接合部分は面一になっているか、又は、合成樹脂被覆材４の上面よりも長尺部材６の水平部６ｂの上面の方が少し低くなっている。
なお、合成樹脂製被覆材４の段差側端縁と長尺部材６の水平部６ｂの側端との接合は、溶接用の合成樹脂８に代えて、シーリング材や、ドープセメント（熱可塑性樹脂を溶解した溶剤）や、シーム液（熱可塑性樹脂の溶剤）などで水密的に行ってもよい。
【００２３】
コンクリート床１の上面１ｂに敷設、接着される通気通水層３としては、コンクリート床１の上面１ｂから放出される水蒸気や水を吸収し、その厚み内部で水蒸気や水を平面的に移動させることができる合成樹脂繊維の不織布、連続発泡樹脂シート、合成樹脂ネットなどがいずれも使用可能であり、その中でも、比較的安価で取扱い性に優れた合成樹脂繊維の不織布が好ましく使用される。特に、実測厚みが０．５〜３ｍｍ、実測目付け量が２００〜３００ｇ／ｍ２であるポリエステル樹脂繊維の不織布やポリプロピレン樹脂繊維の不織布は、通気通水性に優れ、ウレタン樹脂系一成分型あるいはエポキシ樹脂系二成分型の床用接着剤による接着性が良好であり、貼着可能な時間が長く取扱い性（施工性）が良いので、極めて好ましく使用される。
【００２４】
また、通気通水層３の上に敷設、接着される合成樹脂製被覆材４としては、軟質もしくは半硬質の塩化ビニル樹脂やオレフィン系樹脂などの熱可塑性合成樹脂からなる長尺の単層シート又は複層シートが使用され、その表面に防滑用の凹凸を形成したものや、装飾用の模様を形成したものも好ましく使用される。この合成樹脂製被覆材４の厚みは限定されないが、１〜６ｍｍ程度であることが好ましい。
【００２５】
コンクリート床１の段差側端部に設けられる長尺部材６は、図２，図５に示すように、立上り部６ａとその上端から直角ないし略直角に連なる水平部６ｂとを備えた断面逆Ｌ字形の部材であって、金属製や合成樹脂製のものが使用される。その中でも、樹脂溶接等によって合成樹脂製被覆材４との水密的な接合が可能であり、かつ、立上り部６ａと水平部６ｂとの夾角（屈曲角）の調節や、コンクリート床１の不陸の調整、段差面１ａのうねりの調整などを比較的容易に行える、柔軟性を有する塩化ビニル樹脂やオレフィン系樹脂などの熱可塑性合成樹脂製の長尺部材６が好ましく使用される。
なお、この長尺部材６は、最初から図５に示すように直角ないし略直角に屈曲しているものが好ましいが、施工現場で合成樹脂や金属の帯状体を直角ないし略直角に折り曲げて立上り部６ａと水平部６ｂを形成したものでもよい。
【００２６】
長尺部材６のサイズは限定されないが、作業性や運搬性を考慮すると、長尺部材６の長さＬは１〜２ｍ程度であることが好ましい。但し、施工現場で帯状体を折り曲げて長尺部材６を作製する場合は、帯状体の長さを５〜１０ｍ程度とし、持ち運びや作業効率を考慮して、帯状体を巻物にしておくのがよい。
また、水平部６ｂの幅Ｗ（内寸）は５０〜１５０ｍｍ程度とし、立上り部６ａの高さＨ（内寸）はコンクリート床１の段差面１ａの高さを考慮して５〜１００ｍｍ程度とすることが好ましい。なお、床面から続く段差面１ａの上端部（床面のコーナー）に面取りやアールが施されている場合、立上り部６ａは面取りやアールの領域をカバーするような高さで設けられることが好ましい。
【００２７】
長尺部材６の厚み（立上り部６ａと水平部６ｂの厚み）は１〜５ｍｍ程度であり、この厚みの範囲内で、合成樹脂製被覆材４の厚みと同一又は少し薄い厚みを有する長尺部材６を使用することが望ましい。合成樹脂製被覆材４と同一の厚みを有する長尺部材６を使用する場合は、合成樹脂被覆材４の段差側端縁と長尺部材６の水平部６ｂの側端縁との接合部分が実質的に面一となるので、接合部分で躓いたり引っ掛かったりすることがなく、また、合成樹脂製被覆材４の厚みよりも少し薄い厚みを有する長尺部材６を用いる場合は、長尺部材６の水平部６ｂの上面の高さが合成樹脂製被覆材４の上面の高さよりも少し低くなるので、合成樹脂製被覆材４の上面が水で濡れたときに長尺部材６を越えて排水溝２に流入し易くなり、排水性が向上すると共に、塵埃の掃出し性も向上する利点がある。
なお、合成樹脂製被覆材４の表面に防滑用の凹凸が形成されている場合は、その凹部の厚みよりも少し薄い厚みを有する長尺部材６を用いて排水性を向上させることが望ましい。また、この長尺部材６は立上り部６ａも水平部６ｂも同じ厚みであるが、立上り部６ａと水平部６ｂの厚みが異なる場合は、水平部６ｂの厚みが合成樹脂製被覆材４の厚みよりも少し薄い長尺部材を用いて排水性や掃出し性を向上させることが望ましい。
【００２８】
長尺部材６の立上り部６ａや水平部６ｂの表面には、合成樹脂製被覆材４と異なる色調の領域を設けてもよく、そのような領域を設けると、コンクリート床１の段差の存在を明確に視認できるので、段差を踏み外して排水溝２に落ちる心配がなくなり、また、後述する実施形態のように、下りの階段に連なる踊り場のコンクリート床の段差に長尺部材を設ける場合には、段差を踏み外して下りの階段に転落する危険を未然に防止することができる。
更に、長尺部材６の立上り部６ａや水平部６ｂには、りん光を発する蓄光材を含んだ領域を設けてもよく、そのような領域を設けると、りん光によって暗闇でもコンクリート床１の段差の存在を明確に視認できるので、上記の効果がより顕著に発揮されて安全性が更に向上する利点がある。
また、スリップによる転倒事故を防止できるように、長尺部材６の水平部６ｂの表面に防滑用の凹凸を設けてもよい。
【００２９】
通気通水層３，３ａをコンクリート床１の上面１ｂに接着し、合成樹脂製被覆材４や長尺部材６を通気通水層３，３ａに接着する接着剤としては、例えばウレタン樹脂系一成分型やエポキシ樹脂系二成分型の耐水性床用接着剤が好ましく使用され、その他、アクリル系、変性シリコーン系、ゴム系などの床用接着剤も使用される。
【００３０】
また、合成樹脂製被覆材４の側端（段差側と反対側の側端）と前後両端を封止するシーリング材５としては、ウレタン系、エポキシ系、変性シリコーン系、シリコン系、ポリサルファイド系、アクリル系、ＳＢＲ系、ブチルゴム系などのシーリング材が使用される。これらの中でもウレタン系のシーリング材は、後述の図１１に示す実施形態のように、長尺部材６の立上り部６ａの下端面に打設する場合でも、打設直後に垂れ難く、汎用的であり、扱い易いという観点から、特に好ましく使用される。このシーリング材５は、図２，図１１に示すように、断面形状が直角三角形の三角シールとなるように打設、封止することが好ましい。
【００３１】
この実施形態の床被覆構造は、以下の要領で簡単かつ効率良く施工される。
先ず、櫛目ゴテを用いて、前記の床用接着剤を廊下のコンクリート床１の上面１ｂに塗布し、その上に前記の通気通水層３を敷設して接着、固定する。
次いで、通気通水層３の上面に前記の床用接着剤を塗布し（櫛目ゴテで塗布してもよいし、ベタ塗りしてもよい）、断面逆Ｌ字形の前記長尺部材６の立上り部６ａをコンクリート床１の段差面１ａに近接して沿わせながら、長尺部材６の水平部６ｂをコンクリート床１の段差側端部の通気通水層３の上に重ねて接着、固定する。
そして、段差側端部を除いて通気通水層３の上に前記の合成樹脂製被覆材４を敷設して接着、固定し、合成樹脂製被覆材４の段差側端縁と長尺部材６の水平部６ｂの端縁を樹脂溶接（合成樹脂８による溶接）等の手段で水密的に接合する。
最後に、合成樹脂製被覆材４の段差側と反対側の側端、及び、前後両端を前記のシーリング材５で封止し、床被覆構造を完成する。
【００３２】
以上のような構成の床被覆構造では、コンクリート床１の上面１ｂから放出された水蒸気や水が通気通水層３に浸透して層内を移動し、コンクリート床１の段差面１ａと長尺部材６の立上り部６ａとの間の排出通路７ａを通って下向きの排出口７ｂから排出される。そして、排出通路７ａや下向きの排出口７ｂは、立上り部６ａの全長に亘るスリット状の開口面積が大きいものであるから、水蒸気や水の十分な排出量を確保することができる。従って、水蒸気や水が十分に排出されてコンクリート床１の上面１ｂと合成樹脂製被覆材４との間に溜まらないので、水蒸気や水の圧力による合成樹脂製被覆材４の膨れを確実に防止することができる。
また、排出口７ｂは下向きであるから、雨水が降り掛かる、所謂、雨掛かりのコンクリート床１の場合でも、雨水が排出口７ｂから排出通路７ａを逆流してコンクリート床１と合成樹脂製被覆材４との間に侵入し、膨れの原因となることはない。そして、合成樹脂製被覆材４の段差側端縁と長尺部材６の水平部６ｂの端縁が水密的に接合されているので、この接合部から雨水や用水が合成樹脂製被覆材４の裏側に侵入して膨れの原因となることもない。
さらに、排出口７ｂとその上側の排出通路７ａは、コンクリート床１の段差面１ａに断面逆Ｌ字形の長尺部材６の立上り部６ａを沿わせた状態で、コンクリート床１の段差側端部を通気通水層３を介して長尺部材６の水平部６ｂで被覆するという一つの工程（長尺部材６によるコンクリート床の段差側端部の被覆工程）によって簡単に形成できるため、作業効率が高く施工性に優れており、しかも、長尺部材６の立上り部６ａの下端とコンクリート床１の段差面１ａとの間に形成された下向きに開口する排出口７ｂは、外部から目視し難く、全く目立たないので、建物の美観を損ねることもない。
【００３３】
本発明の床被覆構造においては、前記の長尺部材６に代えて、図６，図７，図８に示すような長尺部材６１，６２，６３を用いて、コンクリート床１の段差側端部を被覆してもよい。
【００３４】
図６に示す断面逆Ｌ字形の長尺部材６１は、帯状の通気通水層３ａを水平部６ｂの裏面に全長に亘って接着剤（不図示）で予め接着したものである。このような長尺部材６１は、帯状の通気通水層３ａをコンクリート床１の段差側端部の上面１ｂに接着することで、通気通水層３を敷設、接着する前に、長尺部材６１をコンクリート床１の段差側端部に取付け可能である。帯状の通気通水層３ａは、図示のように水平部６ｂよりも少し広幅のものを用いて、通気通水層３ａの側端部が水平部６ｂの側端から突き出すように接着し、水平部６ｂの側端と合成樹脂製被覆材４の段差側端との接合部と、通気通水層３ａと通気通水層３との突合わせ端が、上下に重ならないようにすることが接合強度や水密性の観点から望ましい。
【００３５】
図７に示す長尺部材６２は、水平部６ｂの全長に亘って薄片６ｃを水平部６ｂの側端の下部から延設すると共に、水平部６ｂと薄片６ｃの裏面に帯状の通気通水層３ａを接着し、立上り部６ａの裏面に複数の凸部（スペーサ）６ｄを立上り部６ａの長さ方向に間隔をあけて形成したものである。
このような長尺部材６２は、帯状の通気通水層３ａをコンクリート床１の段差側端部の上面１ｂに接着固定することで、通気通水層３を敷設、接着する前に、長尺部材６２をコンクリート床１の段差側端部に取付け可能であり、さらに薄片６ｃを合成樹脂製被覆材４の段差側端縁と帯状の通気通水層３ａの間に挟んで、水平部６ｂの側端と合成樹脂製被覆材４の側端を突合わせた接合部からドープセメントやシーム液を注入し、薄片６ｃの上面と合成樹脂製被覆材４の端縁の裏面を溶着一体化することで、長尺部材６２の固定強度と接合部の水密性を高めることができる。そして、立上り部６ａの裏面の凸部６ｄをコンクリート床の段差面１ａに当接させることで、立上り部６ａと段差面１ａとの間隔を一定に保つことができる。なお、排出通路７ａを下方に移動する水蒸気や水は、複数の凸部６ｄの相互間を通って排出口７ｂから排出されるので、水蒸気や水の排出が妨げられる心配はない。
【００３６】
薄片６ｃの厚みは０．５〜１．５ｍｍ程度、薄片６ｃの幅寸法（延設寸法）は１０〜１５０ｍｍ程度とすることが好ましく、このようにすると、長尺部材６２の水平部６ｂの側端と合成樹脂製被覆材４の段差側端との接合部に大きい段差が形成されなくなり、しかも、薄片６ｃの上面と合成樹脂製被覆材４の端縁の裏面との溶着面積が大きいので、長尺部材６の固定強度と接合部の水密性を十分高めることができる。
また、凸部６ｄの高さは１〜１０ｍｍ程度とすることが好ましく、このような高さにすると、立上り部６ａと段差面１ａとの間隔が前述のように１〜１０ｍｍ程度となるので、水蒸気や水の十分な排出量を確保することができる。
【００３７】
図８に示す長尺部材６３は、水平部６ｂの全長に亘って薄片６ｃを水平部６ｂの側端の下部から延設し、水平部６ａの側端の上部に凹溝６ｅ（合成樹脂製被覆材４側の溝側壁を欠いた凹溝）を水平部６ａの全長に亘って形成すると共に、屈曲コーナー部６ｆの裏側に４５°で傾斜する複数の傾斜当たり部６ｇを長尺部材６３の長さ方向に間隔をあけて形成し、立上り部６ａの下端縁の表面を凸湾曲面６ｈとしたものである。
このような長尺部材６３は、傾斜当たり部６ｇをコンクリート床１の段差側端の角部又は通気通水層３の段差側端に当てることで、排水通路７ａとなる立上り部６ａと段差面１ａとの隙間を一定に保つことができる。そして、薄片６ｃを合成樹脂製被覆材４の端縁と通気通水層３の間に挟み、接合部からドープセメントやシーム液を注入して薄片６ｃの上面と合成樹脂製被覆材４の裏面を溶着一体化すると共に、凹溝６ｅに合成樹脂やドープセメントなどを充填して長尺部材６３の水平部６ｂの側端と合成樹脂製被覆材４の段差側端を接合することにより、長尺部材６３の固定強度と接合部の水密性を更に高めることができる。また、立上り部６ａの下端縁の表面が凸湾曲面６ｈであるので、立上り部６ａの下端縁は捲れ難い。
【００３８】
図９は本発明の他の実施形態に係る床被覆構造の部分断面図、図１０は同実施形態に用いる断面逆Ｌ字形の長尺部材を裏返して示す部分斜視図である。
【００３９】
図９に示す実施形態の床被覆構造は、断面逆Ｌ字形の長尺部材６の立上り部６ａをコンクリート床１の段差面１ａに近接して沿わせると共に、両面粘着テープ９で立上り部６ａを段差面１ａに貼着することによって、両面粘着テープ９の厚みに相当する隙間を立上り部６ａと段差面１ａとの間に設け、排出通路７ｂとその下端の下向きに開口する排出口７ｂを形成している。
両面粘着テープ９は、予め、短いテープ片に切断し、図１０に示すように、長尺部材６の立上り部６ａの裏面に複数のテープ片９ａを立上り部６ａの長さ方向に間隔をあけて貼付けておくことが好ましい。このようにすると、長尺部材６をコンクリート床１の段差側端部に被覆、固定するときに、立上り部６ａを段差面１ａに押し付けるだけで、簡単かつ効率良く立上り部６ａを段差面１ａに貼着することができる。そして、排出通路７ａを下方に移動する水蒸気や水は、テープ片９ａの相互間を通り、排出口７ｂ（立上り部６ａの下端と段差面１ａとの間において立上り部６ａの長さ方向に不連続に形成された排出口）から排出されるので、水蒸気や水の排出が妨げられる心配もない。
【００４０】
両面粘着テープ４としては、例えば、ポリエチレンフォームなどの合成樹脂製帯状発泡体（厚み１．０〜５．５ｍｍ程度、幅寸法１０〜２５ｍｍ程度のもの）を基材として、その両面にアクリル系粘着剤などの粘着剤を塗布したものが好ましく使用される。
また、合成樹脂の連続発泡体、樹脂繊維やガラス繊維の不織布などの通気通水性の基材の両面に粘着剤を塗布した通気通水性の両面粘着テープも使用される。このような通気通水性の両面粘着テープは長尺部材６の立上り部６ａの裏面に横一文字に貼付けてもよく、そのようにしても、水蒸気や水が通気通水性の基材を通って排出口７ｂから排出されるので、水蒸気や水の排出が妨げられる心配はない。
【００４１】
図９に示す実施形態の床被覆構造のその他の構成は、図１，図２に示す実施形態の床被覆構造のそれと同様であるので、図９において同一部材に同一符合を付すことにより、重複する説明を省略する。
【００４２】
図９に示す実施形態の床被覆構造は、図１，図２に示す実施形態の床被覆構造が奏する前記作用効果に加えて、両面粘着テープ９（テープ片９ａ）によって長尺部材６の立上り部６ａが捲れあがるなどの不具合を防止でき、また、この両面粘着テープ９（テープ片９ａ）がスペーサの役目をして、長尺部材６の立上り部６ａとコンクリート床１の段差面１ａとの隙間を確保できるといった作用効果を奏する。
【００４３】
図１１は本発明の更に他の実施形態に係る床被覆構造の部分断面図である。
この図１１に示す実施形態の床被覆構造は、前記のシーリング材５によって、長尺部材６の立上り部６ａの下端をその長さ方向に不連続に三角シールし、三角シールされていない部分の立上り部６ａの下端と段差面１ａとの隙間を下向きの排出口（図１１には表れていない）としたものである。
その他の構成は図１，図２に示す実施形態の床被覆構造のそれと同様であるので、図１１において同一部材に同一符合を付すことにより、重複する説明を省略する。
【００４４】
図１１に示す実施形態の床被覆構造は、図１，図２に示す実施形態の床被覆構造が奏する前記作用効果に加えて、三角シールしたシーリング材５によって長尺部材６の立上り部６ａの下端が固定されるため、立上り部６ａが捲れあがる不具合を防止することができると共に、立上り部６ａと段差面１ａとの隙間を一定に保つことができるといった作用効果を奏する。
【００４５】
図１２は本発明の更に他の実施形態に係る床被覆構造の平面図、図１３は図１２のＡ−Ａ線断面図である。
【００４６】
図１２，図１３に示す実施形態の床被覆構造は、下りの階段２０に連なる段差（段差面１ａ）を備えた踊り場のコンクリート床１の被覆構造を示したもので、下りの階段２０に連なるコンクリート床１の段差（段差面１ａ）の高さは、通常２０〜３０ｃｍ程度である。
【００４７】
この踊り場のコンクリート床１の上面（１ｂ）には、前記通気通水層３が敷設され、櫛目ゴテで塗布された前記接着剤（不図示）で接着されている。そして、コンクリート床１の段差側端部の上面１ｂは、通気通水層３を介して、断面逆Ｌ字形の前記長尺部材６の水平部６ｂで被覆されており、この水平部６ｂは前記接着剤（不図示）で通気通水層３の段差側端部に接着、固定されている。コンクリート床１の段差面１ａは、該段差面１ａに近接して沿わせた長尺部材６の立上り部６ａで被覆されており、立上り部６ａと段差面１ａとの隙間が水蒸気や水の排水通路７ａになると共に、該排水通路７ａの下端（立上り部６ａの下端と段差面１ａとの隙間）が下向きの排出口７ｂとなっている。
【００４８】
通気通水層３の上には、長尺部材６の水平部６ｂを接着、固定した段差側端部を除いて、前記合成樹脂製被覆材４が敷設され、前記接着剤（不図示）で接着、固定されている。そして、この合成樹脂被覆材４の段差側端縁と長尺部材６の水平部６ｂの端縁が溶接用の前記合成樹脂８で水密的に接合されており、更に、合成樹脂製被覆材４の周囲は、長尺部材６の水平部６ｂとの接合部分を除いて、前記シーリング材５で封止されている。
なお、図示はしていないが、階段２０の表面は合成樹脂製の階段用床材で被覆することが望ましい。
【００４９】
上記のように構成された踊り場の床被覆構造においても、コンクリート床１から放出された水蒸気や水が通気通水層３と排出通路７ａを通って排出口７ｂから排出され、コンクリート床１と合成樹脂製被覆材４との間に水蒸気や水が溜まらなくなるので、水蒸気や水の圧力による合成樹脂製被覆材４の膨れを防止することができる。そして、雨掛かりの踊り場のコンクリート床１の場合でも、雨水が下向きの排出口７ｂからコンクリート床１と合成樹脂製被覆材４との間に侵入して合成樹脂製被覆材４の膨れの原因となったり、合成樹脂製被覆材４の段差側端縁と長尺部材６の水平部６ａの端縁との水密的な接合部から雨水が合成樹脂製被覆材４の裏側に侵入して合成樹脂製被覆材４の膨れの原因となったりすることはない。また、下向きの排出口７ｂは、長尺部材６の立上り部６ａの下端の全長に亘るスリット状の開口面積が大きい排出口であるため、水蒸気や水の十分な排出量を確保することができ、しかも、このような下向きの排出口７ｂは全く目立たないので建物の美観を損ねることがない。また、この床被覆構造は、コンクリート床１の段差面１ａに長尺部材６の立上り部６ａを沿わせた状態で、コンクリート床１の段差側端部を通気通水層３を介して長尺部材６の水平部６ｂで被覆、固定するという一つの工程によって、排出口７ｂとその上側の排出通路６ａを簡単に形成できるので施工性に優れる。
【００５０】
なお、下りの階段２０に連なる段差（段差面）を備えた廊下のコンクリート床や、グランドレベルより一段高い土間のコンクリート床の場合も、上記と同様の床被覆構造とすることによって、合成樹脂製被覆材４の膨れを防止できることは言うまでもない。
【符号の説明】
【００５１】
１    コンクリート床
１ａ  段差面
２    排水溝
３    通気通水層
４    合成樹脂製被覆材
５    シーリング材
６    断面逆Ｌ字形の長尺部材
６ａ  長尺部材の立上り部
６ｂ  長尺部材の水平部
６ｃ  薄片
６ｄ  凸部（スペーサ）
６ｅ  凹溝
６ｇ  傾斜当たり部
７ａ  排出通路
７ｂ  排出口
８    合成樹脂
９    両面粘着テープ
９ａ  テープ片
２０  下りの階段
【図１】
0006630983.tif 000002
【図２】
0006630983.tif 000003
【図３】
0006630983.tif 000004
【図４】
0006630983.tif 000005
【図５】
0006630983.tif 000006
【図６】
0006630983.tif 000007
【図７】
0006630983.tif 000008
【図８】
0006630983.tif 000009
【図９】
0006630983.tif 000010
【図１０】
0006630983.tif 000011
【図１１】
0006630983.tif 000012
【図１２】
0006630983.tif 000013
【図１３】
0006630983.tif 000014